(57)【要約】【課題】防犯性が高い什器を提供する。【解決手段】商品陳列部１４には、陳列された複数種類の商品に対応してそれぞれ設けられた選択ボタン２８と、各コラムに収納された商品の個数を検出する個数検出部と、商品収納部全体、または、コラム毎に設けられた扉３４と、扉の鍵と、制御部５８と、を備え、制御部５８は、商品が販売開始になった時に、鍵を解錠し、または鍵の解錠を許容し、販売開始前においては、鍵を施錠し、または鍵が解錠されたときはブザー６２を作動させるものである。【選択図】      図１０
2009095666.tif 000002
【特許請求の範囲】
【請求項１】
複数種類の商品をそれぞれ収納できる複数のコラムを有する商品収納部と、
前記商品収納部とは別体であって、前記収納した複数種類の商品をそれぞれ陳列した商品陳列棚を有する商品陳列部と、
を備えた什器において、
前記商品陳列部には、陳列された複数種類の前記商品に対応してそれぞれ設けられた選択ボタンと、
前記各コラムに収納された前記商品の個数を検出する個数検出部と、
前記商品収納部全体、または、前記コラム毎に設けられた扉と、
前記扉の鍵と、
制御部と、
を備え、
前記制御部は、
前記商品が販売開始になった時に、前記鍵を解錠し、または前記鍵の解錠を許容し、
前記販売開始前においては、前記鍵を施錠し、または前記鍵が解錠されたときは報知部を作動させる、
什器。
【請求項２】
前記制御部は、
前記選択ボタンが選択されないときに前記個数検出部が前記商品の個数の減少を検出したときは、前記報知部を作動させる、
請求項１記載の什器。
【請求項３】
前記制御部は、
前記各商品の販売個数を記憶し、
前記商品が販売開始になった時の前記各商品の在庫数を記憶し、
前記鍵の施錠時の前記各商品の個数と前記販売個数との合計が、前記販売開始時の在庫数と一致しないときに、前記報知部を作動させる、
請求項１記載の什器。
【発明の詳細な説明】
【技術分野】
【０００１】
本発明は、店舗に設置されるタバコ等を販売する什器に関するものである。
【背景技術】
【０００２】
スーパーマーケットやコンビニエンスストア等において、タバコ等を販売する場合は、レジカウンターや販売員の背面に什器を置き、この什器のタバコを収納して販売している（例えば、特許文献１参照）。
【特許文献１】実用新案登録第３１２９１５４号公報
【発明の開示】
【発明が解決しようとする課題】
【０００３】
しかしながら、什器をレジカウンター内に置くだけでは、購入者が指定する商品の取り間違いの発生や、販売員等による商品の抜取が可能であるという問題点がある。
【０００４】
そこで、本発明は上記問題点に鑑み、防犯性が高い什器を提供する。
【課題を解決するための手段】
【０００５】
本発明は、複数種類の商品をそれぞれ収納できる複数のコラムを有する商品収納部と、前記商品収納部とは別体であって、前記収納した複数種類の商品をそれぞれ陳列した商品陳列棚を有する商品陳列部と、を備えた什器において、前記商品陳列部には、陳列された複数種類の前記商品に対応してそれぞれ設けられた選択ボタンと、前記各コラムに収納された前記商品の個数を検出する個数検出部と、前記商品収納部全体、または、前記コラム毎に設けられた扉と、前記扉の鍵と、制御部と、を備え、前記制御部は、前記商品が販売開始になった時に、前記鍵を解錠し、または前記鍵の解錠を許容し、前記販売開始前においては、前記鍵を施錠し、または前記鍵が解錠されたときは報知部を作動させる、什器である。
【発明の効果】
【０００６】
本発明によれば、販売開始前に商品収納部に収納された商品を取り出すことができず、または取り出そうとすると報知部が警告を行なうため、防犯性を高めることができる。
【発明を実施するための最良の形態】
【０００７】
以下、本発明の一実施形態の什器１０について図１〜図１０に基づいて説明する。
【０００８】
本実施形態の什器１０は、タバコ１を販売するためのものであり、レジスター装置１２と一体となっている。
【０００９】
（１）什器１０の構成
什器１０は、前記したようにレジスター装置１２と一体となっており、タバコ１を陳列するための商品陳列部１４と、タバコ１を収納するための商品収納部１６とを有している。
【００１０】
商品陳列部１４は、図１及び図２に示すように、スーパーマーケットやコンビニエンスストア等の店舗内部に配置されたレジカウンター１８の購入者が通る通路に面して配置されている。一方、商品収納部１６は、レジカウンター１８内部に設置されている。
【００１１】
レジカウンター１８の上面には、タバコ１やその他の商品のバーコードを読み取ったり、その他の情報を入力するための入力部２０が設置されている。このレジカウンター１８の端部には、お金を収納したり、その他の計算等を行なうレジスター部２２が設けられている。
【００１２】
（２）商品陳列部１４の構成
商品陳列部１４は、図３及び図４に示すように、２列の陳列棚２４が設けられ、各陳列棚２４には、それぞれタバコ１の表面のみを印刷した商品ダミー２６が配置されている。
【００１３】
各商品ダミー２６の下方には、購入者がこのタバコ１を購入したいときに意思表示を行なう選択ボタン２８がそれぞれ設けられている。
【００１４】
（３）商品収納部１６
図３に示すように、商品収納部１６は、複数のコラム３０を有し、横方向に６列のコラムが並び、縦方向に５個のコラムが配置されている。なお、図５は、説明を簡単にするために５列で図示している。
【００１５】
各コラム３０は、タバコ１を複数個収納可能であるが、その構造については後から詳しく説明する。なお、各コラム３０は、前方から商品を取り出すことが可能であり、各コラム３０の前部にはＬＥＤ３２が設けられている。
【００１６】
また、この商品収納部１６の上部には、シャッター式の扉３４が設けられ、販売員によって開け閉め可能となっている。
【００１７】
商品収納部１６の下部には、扉３４の鍵とその鍵の解錠または施錠を検出するための鍵部３６が設けられている。また、各ＬＥＤ３２の点灯を消灯させるためのリセットスイッチ３８も設けられている。
【００１８】
（４）コラム３０の構造
次に、図５〜図９に基づいて各コラム３０の構造について説明する。
【００１９】
コラム３０は、タバコ１を前後方向に複数個載置できる台４０を有している。この台４０の前部には、タバコ１を支持するための前支持部４２が設けられている。この台４０には、商品を後方から支持するための移動壁４４が前後方向に移動自在に設けられている。この移動壁４４の底面から突部４６が突出している。
【００２０】
前支持部４２の内部には、テープ状の板部４８を巻回した巻きバネ５０が載置されている。この巻きバネ５０の巻き部分５２から引き出されたテープ状の板部４８の先端部は、上記で説明した移動壁４４の突部４６に取り付けられている。この巻きバネ５０の付勢力により、移動壁４４は、常に前方に付勢される。
【００２１】
商品収納部１６の各コラム３０にタバコ１を収納する場合には、移動壁４４を巻きバネ５０の付勢力に反して後方に引き、タバコ１を図５に示すように収納していく。この場合に、巻きバネ５０の板部４８は移動壁４４と共に前方に引かれる。
【００２２】
巻きバネ５０のテープ状の板部４８には、長手方向に複数個開口した測定孔５４が設けられている。この測定孔５４は、図７に示すように不規則に開口している。
【００２３】
この測定孔５４が移動する位置に一対の光センサ５６が設けられている。この光センサ５６は、光出力部と受光部からなり、測定孔５４がこの光センサ５６の位置を通過することによって、その測定孔５４を検出することができる。
【００２４】
なお、この板部４８に開口した測定孔５４としては、図７に示すような不規則な開口状態だけでなく、図８に示すように長手方向に一直線に開口しつつ、幅方向に傾斜した状態や、図９に示すように長手方向に等間隔に開口したものであってもよい。
【００２５】
この光センサ５６によって測定した情報の利用方法については後から説明する。
【００２６】
（５）什器１０とレジスター装置１２の電気的構成
次に、図１０に基づいて什器１０とレジスター装置１２の電気的構成について説明する。
【００２７】
上記したように商品陳列部１４の選択ボタン２８と、商品収納部１６のＬＥＤ３２、光センサ５６、鍵部３６、リセットスイッチ３８が、レジスター装置１２内部に設けられた制御部５８に接続されている。この制御部５８には、上記した入力部２０とレジスター部２２が接続され、制御部５８の記憶部６０も接続されている。また、後から説明する防犯のためのブザー６２も接続されている。
【００２８】
また、この制御部５８は、商品収納部１６の各コラム３０に収納されたタバコ１の在庫管理も行なうことができる。すなわち、制御部５８は、記憶部６０に、タバコ１の個数に合わせた測定孔５４の検出状態を予め記憶させておく。タバコ１が取り出されるとその分の厚みが薄くなるため移動壁４４が前方に移動し、それと共に板部４８の測定孔５４も移動する。そのため、タバコ１の個数毎に測定孔５４の変化パターンを記憶させておき、このタバコ１の個数、すなわち厚みから現在収納されているタバコ１の個数を判定する。
【００２９】
なお、図８に示すような長手方向に開口した測定孔５４の場合には、幅方向の位置によって、タバコの個数を検出する。図９に示すような測定孔５４の場合には、測定孔５４の絶対位置でなく、相対位置を検出してタバコの個数を測定する。
【００３０】
（６）販売開始時の動作
次に、什器１０とレジスター装置１２の販売開始時の動作状態について説明する。
【００３１】
まず、販売員がレジカウンター１８に入り、入力部２０を用いて担当開始（販売開始）の手続きを行ない、担当者名を記憶させる。
【００３２】
次に、販売員は鍵を解錠して商品収納部１６の扉３４を開けて、タバコ１を取り出し可能にする。鍵が解錠されたことは鍵部３６が検出し、そのときの各コラム３０のタバコ１の在庫数を上記した光センサ５６からの信号に基づいて記憶部６０に記憶させる。なおこの場合は、販売員が担当開始（販売開始）の手続を行って鍵を解錠したため、鍵部３６は鍵の解錠を許容することとなリ、また後記するようなブザー６２等による警告は行われない。そして通常の販売へと進む。
【００３３】
もし、販売員が担当開始（販売開始）の手続きを行わないで鍵を解錠した場合には、制御部５８は鍵部３６からの検出信号に基づきブザー６２を鳴らし、警告を行なう。なお、実施においては、販売開始になった時に制御部５８が鍵部３６をして鍵を自動的に解錠するようにしても良く、また販売開始前においては、鍵の解錠を許容しない、つまり施錠を維持するように構成しても良い。この場合、鍵部３６には鍵を自動で解錠したり解鍵する機能を持たせることとなる。
【００３４】
（７）通常販売時
次に、什器１０とレジスター装置１２の通常の販売状態について説明する。
【００３５】
購入者が、欲しいタバコ１に該当する商品ダミー２６を陳列棚２４から選び、選択ボタン２８を選択する。すると、商品収納部１６の該当するＬＥＤ３２が点灯する。
【００３６】
販売者は、その点灯したＬＥＤ３２に対応するコラム３０からタバコ１を取り出す。タバコ１を販売員が取り出した後、リセットスイッチ３８を押し、ＬＥＤ３２を消灯させる。そして、入力部２０とレジスター部２２を用いて販売を行なう。このとき、タバコ１を取り出すと、移動壁４４が移動し前記した測定孔５４が移動することにより、コラム３０の在庫数が変化する。
【００３７】
このようにすることで、販売員は確実に購入者が希望する商品を商品収納部１６から取り出すことができる。
【００３８】
なお、選択ボタン２８が選択されない状態で、商品収納部１６からタバコ１が取り出されると、移動壁４４が移動し、在庫数が変化したことを制御部５８が検出し、ブザー６２を鳴らし、警告を行なう。
【００３９】
（８）販売終了時の動作
次に、什器１０とレジスター装置１２の販売終了時の動作について説明する。
【００４０】
販売員が販売を終了する場合、または、レジの担当者が交代する場合には、扉３４を閉じる。そして扉３４の鍵が販売員によって施錠されると鍵部３６はこの施錠されたことを認識し、販売が終了したことを認識する。
【００４１】
このとき、各コラムにあるタバコ１の在庫数とレジスター装置１２によって販売したタバコ１の販売数の合計が、販売開始時におけるタバコ１の在庫数と一致する場合には販売を終了し、一致しない場合にはブザー６２を鳴らし、警告を行なう。
【００４２】
また、販売員がこの販売終了の手続きを行なわずに交代を行なった場合でもブザー６２を鳴らす。すなわち、扉３４を閉めないで、レジスター装置１２において販売員の交代を行なう手続きをした場合には、ブザー６２を鳴らす。
【００４３】
（９）効果
以上により、本実施形態であれば、購入者が希望する商品に対応する選択ボタンを選択すると、商品収納部１６の該当するコラム３０のＬＥＤ３２が点灯するため、販売員が確実にその商品を取り出すことができる。
【００４４】
また、各コラム３０における巻きバネ５０の板部４８に対向した測定孔５４の位置によってタバコ１の在庫数を管理することができる。
【００４５】
販売開始前に扉３４を開けてタバコ１を取り出そうとするとブザー６２によって警告を行なうことができる。また、通常販売時において選択ボタン２８が選択されない状態でタバコ１を取り出してもブザー６２によって警告を行なうことができる。さらに、販売終了時に在庫数に矛盾がある場合にはブザー６２によって警告を行なうことができる。
【００４６】
（１０）変更例
本発明は上記各実施形態に限らず、その主旨を逸脱しない限り種々に変更することができる。
【００４７】
上記実施形態では扉３４は、商品収納部１６全体を開閉するものであったが、コラム３０毎に開閉できるものであってもよい。
【００４８】
また、扉３４は販売員が手動によって開閉するものでなく、自動で開閉するものであってもよい。すなわち、販売開始時において扉３４を自動的に開けるものであってもよい。
【００４９】
また、警告の手段としては、ブザー６２に限らず、回転灯や、その他の方法であってもよい。
【００５０】
また、選択ボタン２８が選択されたときに、ＬＥＤ３２を点灯させるだけでなく、ブザー６２によって音を鳴らしたり、回転灯を点灯させたりしてもよい。
【００５１】
また、ＬＥＤ３２を点灯させるのでなく、選択されたコラム３０を前方に飛び出す構造であってもよい。
【００５２】
また、タバコ１を複数個購入する場合、すなわち、まとめ買いの場合には、購入個数ボタンを商品陳列部１４に設け、その個数に対応した数字を商品収納部１６に表示してもよい。
【００５３】
また、在庫数を検出する場合に上記実施形態では巻きバネ５０の板部４８に測定孔５４を設けたが、これに代えて板部４８に凹凸を設け、光センサ５６の代わりにその凹凸を検出するセンサを設けてもよい。
【００５４】
また、上記実施形態では、制御部５８をレジスター装置１２内部に設けたが、什器１０内部に設けてもよい。
【００５５】
また、（４）の項目で説明したコラム３０の構成は、商品収納部しか有さない什器にも適用できる。
【図面の簡単な説明】
【００５６】
【図１】本発明の一実施形態を示す什器とレジスター装置の前方から見た配置図である。
【図２】同じく後方から見た配置図である。
【図３】商品陳列部と商品収納部の正面図である。
【図４】商品陳列部と商品収納部の側面図である。
【図５】コラムの斜視図である。
【図６】コラムの縦断面図である。
【図７】巻きバネの板部の第１の斜視図である。
【図８】巻きバネの板部の第２の斜視図である。
【図９】巻きバネの板部の第３の斜視図である。
【図１０】什器とレジスターのブロック図である。
【符号の説明】
【００５７】
１０  什器
１２  レジスター装置
１４  商品陳列部
１６  商品収納部
１８  レジカウンター
２０  入力部
２２  レジスター部
２４  陳列棚
２６  商品ダミー
２８  選択ボタン
３０  コラム
３２  ＬＥＤ
３４  扉
３６  鍵部
３８  リセットスイッチ
４０  台
４２  後支持部
４４  移動壁
４６  突部
４８  板部
５０  巻きバネ
５２  巻き部分
５４  測定孔
５６  光センサ
５８  制御部
６０  記憶部
６２  ブザー
【図１】
2009095666.tif 000003
【図２】
2009095666.tif 000004
【図３】
2009095666.tif 000005
【図４】
2009095666.tif 000006
【図５】
2009095666.tif 000007
【図６】
2009095666.tif 000008
【図７】
2009095666.tif 000009
【図８】
2009095666.tif 000010
【図９】
2009095666.tif 000011
【図１０】
2009095666.tif 000012